【手続補正書】
【提出日】平成16年12月3日(2004.12.3)
【手続補正１】
【補正対象書類名】明細書
【補正対象項目名】特許請求の範囲
【補正方法】変更
【補正の内容】
【特許請求の範囲】
【請求項１】
ユーザにサービスを提供するアクセス業者に対して前記ユーザに関する情報を提供する個人情報管理サーバであって、
前記アクセス業者が有するアクセス業者ＩＤに対応付けて前記アクセス業者が属するグループを格納するアクセス業者ＩＤ格納部と、
前記個人情報管理サーバによって前記ユーザの識別が可能な暫定ユーザＩＤを、前記ユーザの実ユーザＩＤに対応付けて格納するユーザＩＤ格納部と、
前記グループ及び前記実ユーザＩＤに対応付けて、それぞれの前記グループに対して前記ユーザが予め提供を許可した前記ユーザの個人情報を、格納する個人情報データベースと、
前記ユーザＩＤ格納部に格納された前記暫定ユーザＩＤを前記ユーザが有するユーザ端末に提供する暫定ユーザＩＤ提供部と、
前記アクセス業者のアクセス業者端末から前記アクセス業者ＩＤを受信した場合に、前記アクセス業者ＩＤ格納部を参照し、前記ユーザによって予め定められたグループのいずれに前記アクセス業者が属するか判断するグループ判断部と、
前記暫定ユーザＩＤ提供部が前記ユーザ端末に提供した暫定ユーザＩＤと同一の暫定ユーザＩＤを前記アクセス業者端末から取得した場合に、取得した前記暫定ユーザＩＤに基づいて、前記ユーザＩＤ格納部から前記実ユーザＩＤを取得する実ユーザＩＤ取得部と、
前記グループ判断部により前記アクセス業者が属すると判断された前記グループ及び前記実ユーザＩＤ取得部により取得された前記実ユーザＩＤに対応する前記個人情報を、前記個人情報データベースから取得し、前記アクセス業者端末に提供する個人情報提供部と
を備えたことを特徴とする個人情報管理サーバ。
【請求項２】
前記アクセス業者が前記ユーザに提供した前記サービスの内容を前記アクセス業者から取得し、前記ユーザの履歴情報として前記個人情報データベースに格納するサービス内容取得部を更に備えたことを特徴とする請求項１に記載の個人情報管理サーバ。
【請求項３】
前記ユーザＩＤ格納部は、前記個人情報提供部が前記アクセス業者に前記個人情報を提供する毎に、前記暫定ユーザＩＤを変更して前記実ユーザＩＤに対応付けて格納することを特徴とする請求項１に記載の個人情報管理サーバ。
【請求項４】
前記個人情報データベースは、前記個人情報データベースに格納された複数の前記ユーザの行動の履歴を取得する行動履歴取得部と、
取得された前記履歴に基づいて前記ユーザの行動特性を抽出し、前記属性情報として前記個人情報データベースに格納する情報集約部を有することを特徴とする請求項１に記載の個人情報管理サーバ。
【請求項５】
前記行動履歴取得部は、前記ユーザ端末の位置を一定期間取得して前記履歴に関する個人情報として前記個人情報データベースに格納し、
前記情報集約部は、前記個人情報データベースに格納された、一定期間における前記ユーザ端末の位置に基づいて前記ユーザの行動特性を抽出することを特徴とする請求項４に記載の個人情報管理サーバ。
【請求項６】
前記行動履歴取得部は、前記ユーザ端末の位置及び前記ユーザ端末の位置を取得したときの取得時間を一定期間取得して前記ユーザ端末の位置及び前記取得時間に基づいて前記ユーザの移動速度を前記一定期間分算出し、
前記情報集約部は、前記一定期間における前記ユーザ端末の移動速度に基づいて前記ユーザの行動特性を抽出することを特徴とする請求項５に記載の個人情報管理サーバ。
【請求項７】
前記行動履歴取得部は、前記ユーザの移動速度及び前記取得時間に基づいて前記ユーザの移動加速度を前記一定期間分算出し、
前記情報集約部は、前記一定期間における前記ユーザ端末の移動加速度に基づいて前記ユーザの行動特性を抽出することを特徴とする請求項６に記載の個人情報管理サーバ。
【請求項８】
前記情報集約部は、前記行動履歴取得部が取得した一定期間における前記ユーザ端末の位置から前記ユーザの移動領域を特定し、前記移動領域に基づいて前記ユーザの行動特性を抽出することを特徴とする請求項５に記載の個人情報管理サーバ。
【請求項９】
前記個人情報データベースに格納された前記個人情報が正しいかどうかを、前記個人情報の少なくとも一部を格納する外部のデータベースを用いて確認し、前記外部データベースの信頼度の格付けに基づいて前記個人情報のレベルを、前記個人情報に対応付けて前記個人情報データベースに格納する情報レベル付与部を更に備えたことを特徴とする請求項１に記載の個人情報管理サーバ。
【請求項１０】
前記暫定ユーザＩＤは、前記暫定ユーザＩＤ提供部が前記ユーザ端末に前記暫定ユーザＩＤを提供してから、前記ユーザが前記アクセス業者から前記サービスを提供されるまでの間、有効なＩＤであることを特徴とする請求項１に記載の個人情報管理サーバ。
【請求項１１】
前記アクセス業者ＩＤ格納部は、前記アクセス業者ＩＤに対応付けて更にＩＰアドレスを格納し、
前記個人情報提供部は、前記アクセス業者ＩＤ格納部において前記アクセス業者ＩＤに対応付けて格納されたＩＰアドレスに向けて前記個人情報を提供する請求項１に記載の個人情報管理サーバ。
【請求項１２】
ユーザにサービスを提供するアクセス業者に対して前記ユーザに関する情報を提供するコンピュータ用のプログラムであって、
前記アクセス業者が有するアクセス業者ＩＤに対応付けて前記アクセス業者が属するグループを格納するアクセス業者ＩＤ格納機能と、
前記個人情報管理サーバによって前記ユーザの識別が可能な暫定ユーザＩＤを、前記ユーザの実ユーザＩＤに対応付けて管理するユーザＩＤ管理機能と、
前記グループ及び前記実ユーザＩＤに対応付けて、それぞれの前記グループに対して前記ユーザが予め提供を許可した前記ユーザの個人情報を管理する個人情報管理機能と、
前記ユーザＩＤ格納機能に格納された前記暫定ユーザＩＤを前記ユーザが有するユーザ端末に提供する暫定ユーザＩＤ提供機能と、
前記アクセス業者のアクセス業者端末から前記アクセス業者ＩＤを受信した場合に、前記アクセス業者ＩＤ管理機能を参照し、前記ユーザによって予め定められたグループのいずれに前記アクセス業者が属するか判断するグループ判断機能と、
前記暫定ユーザＩＤ提供機能が前記ユーザ端末に提供した暫定ユーザＩＤと同一の暫定ユーザＩＤを前記アクセス業者端末から取得した場合に、取得した前記暫定ユーザＩＤに基づいて、前記ユーザＩＤ管理機能から前記実ユーザＩＤを取得する実ユーザＩＤ取得機能と、
前記グループ判断機能により前記アクセス業者が属すると判断された前記グループ及び前記実ユーザＩＤ取得機能により取得された前記実ユーザＩＤに対応する前記個人情報を、前記個人情報管理機能から取得し、前記アクセス業者端末に提供する個人情報提供機能と
を備えたことを特徴とするプログラム。
【手続補正２】
【補正対象書類名】明細書
【補正対象項目名】０００５
【補正方法】変更
【補正の内容】
【０００５】
【課題を解決するための手段】
即ち、本発明の第１の形態によると、ユーザにサービスを提供するアクセス業者に対してユーザに関する情報を提供する個人情報管理サーバであって、個人情報管理サーバは、アクセス業者が有するアクセス業者ＩＤに対応付けてアクセス業者が属するグループを格納するアクセス業者ＩＤ格納部と、個人情報管理サーバによってユーザの識別が可能な暫定ユーザＩＤを、ユーザの実ユーザＩＤに対応付けて格納するユーザＩＤ格納部と、グループ及び実ユーザＩＤに対応付けて、それぞれのグループに対してユーザが予め提供を許可したユーザの個人情報を、格納する個人情報データベースと、ユーザＩＤ格納部に格納された暫定ユーザＩＤをユーザが有するユーザ端末に提供する暫定ユーザＩＤ提供部と、アクセス業者のアクセス業者端末からアクセス業者ＩＤを受信した場合に、アクセス業者ＩＤ格納部を参照し、ユーザによって予め定められたグループのいずれにアクセス業者が属するか判断するグループ判断部と、暫定ユーザＩＤ提供部がユーザ端末に提供した暫定ユーザＩＤと同一の暫定ユーザＩＤをアクセス業者端末から取得した場合に、取得した暫定ユーザＩＤに基づいて、ユーザＩＤ格納部から実ユーザＩＤを取得する実ユーザＩＤ取得部と、グループ判断部によりアクセス業者が属すると判断されたグループ及び実ユーザＩＤ取得部により取得された実ユーザＩＤに対応する個人情報を、個人情報データベースから取得し、アクセス業者端末に提供する個人情報提供部とを備える。
【手続補正３】
【補正対象書類名】明細書
【補正対象項目名】０００９
【補正方法】変更
【補正の内容】
【０００９】
更に、個人情報データベースに格納された個人情報が正しいかどうかを、個人情報の少なくとも一部を格納する外部のデータベースを用いて確認し、外部データベースの信頼度の格付けに基づいて個人情報のレベルを、個人情報に対応付けて個人情報データベースに格納する情報レベル付与部を更に備えることが好ましい。暫定ユーザＩＤは、暫定ユーザＩＤ提供部がユーザ端末に暫定ユーザＩＤを提供してから、ユーザがアクセス業者からサービスを提供されるまでの間、有効なＩＤであることが好ましい。
【手続補正４】
【補正対象書類名】明細書
【補正対象項目名】００１０
【補正方法】変更
【補正の内容】
【００１０】
アクセス業者ＩＤ格納部は、アクセス業者ＩＤに対応付けて更にＩＰアドレスを格納し、個人情報提供部は、アクセス業者ＩＤ格納部においてアクセス業者ＩＤに対応付けて格納されたＩＰアドレスに向けて個人情報を提供してもよい。
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】変更
【補正の内容】
【００１５】
本発明の第２の形態によると、ユーザにサービスを提供するアクセス業者に対してユーザに関する情報を提供するコンピュータ用のプログラムであって、プログラムは、アクセス業者が有するアクセス業者ＩＤに対応付けてアクセス業者が属するグループを格納するアクセス業者ＩＤ格納機能と、個人情報管理サーバによってユーザの識別が可能な暫定ユーザＩＤを、ユーザの実ユーザＩＤに対応付けて管理するユーザＩＤ管理機能と、グループ及び実ユーザＩＤに対応付けて、それぞれのグループに対してユーザが予め提供を許可したユーザの個人情報を管理する個人情報管理機能と、ユーザＩＤ格納機能に格納された暫定ユーザＩＤをユーザが有するユーザ端末に提供する暫定ユーザＩＤ提供機能と、アクセス業者のアクセス業者端末からアクセス業者ＩＤを受信した場合に、アクセス業者ＩＤ管理機能を参照し、ユーザによって予め定められたグループのいずれにアクセス業者が属するか判断するグループ判断機能と、暫定ユーザＩＤ提供機能がユーザ端末に提供した暫定ユーザＩＤと同一の暫定ユーザＩＤをアクセス業者端末から取得した場合に、取得した暫定ユーザＩＤに基づいて、ユーザＩＤ管理機能から実ユーザＩＤを取得する実ユーザＩＤ取得機能と、グループ判断機能によりアクセス業者が属すると判断されたグループ及び実ユーザＩＤ取得機能により取得された実ユーザＩＤに対応する個人情報を、個人情報管理機能から取得し、アクセス業者端末に提供する個人情報提供機能とを備える。
【手続補正１０】
【補正対象書類名】明細書
【補正対象項目名】００１６
【補正方法】削除
【補正の内容】